(57)【特許請求の範囲】
【請求項１】
胴部材と、
リュックサックの底面を形成する底部材と、
前記胴部材に設けられており、前記リュックサックの背中面から前記底部材の面方向に沿って形成されているフレームに固定された肩掛けベルトと、
前記胴部材に設けられた腰ベルトと、を有し、
前記胴部材内には、酒樽を収納する収納部と、該収納部よりも下側に非収納部とが形成され、
前記非収納部の高さが、前記収納部の高さに対して１０分の１以上となるように、前記非収納部に複数のスペーサ部材が高さ方向に積層配置されており、
前記フレームは、前記底部材の面方向に沿って延びている座面構成部を有しており、
前記高さ方向において、前記座面構成部より上側に配置されるスペーサ部材の合計厚みは、前記座面構成部より下側に配置されるスペーサ部材の合計厚みより小さいことを特徴とする酒樽用リュックサック。
【請求項２】
前記スペーサ部材は、発泡プラスチックである請求項１に記載の酒樽用リュックサック。
【請求項３】
更に、前記フレームと前記肩掛けベルトとを固定する固定部材を有する請求項１または２に記載の酒樽用リュックサック。
【請求項４】
前記座面構成部が、前記底部材と前記スペーサ部材との間に配置されている請求項１〜３のいずれかに記載の酒樽用リュックサック。
【請求項５】
前記リュックサックの背中面とは反対側の胴部材に、前記スペーサ部材を出し入れする開閉部が設けられている請求項１〜４のいずれかに記載の酒樽用リュックサック。
【発明の詳細な説明】
【技術分野】
【０００１】
本発明は、スポーツ施設などで、売り子がビールなどの酒類を背負って販売する際に用いるリュックサックに関する。
【背景技術】
【０００２】
野球場などのスポーツ施設や、各種イベント会場などでは、売り子がビールや焼酎ハイボール（酎ハイ）などの酒類が入った酒樽を収納したリュックサックを背負って顧客の間を回り、販売している。こうしたリュックサックとして、特許文献１に、生ビール樽背負い子式バッグが提案されている。このバッグは、本体と、蓋と、ショルダーストラップと、カマーベルトを有する。該本体は、竪型の円筒形状の生ビール樽を収容する大きさを有し、それぞれ断熱性かつ緩衝性の周壁と底壁で四角形のボックス状に構成される。該周壁の一つが背負い壁となり、該背負い壁と対向する背壁は高さが低い。上面の開口は該背壁の頂部まで連続し、該開口の両側縁に沿ってチャック片が設けられる。該背負い壁の外面の腰部と脊髄部との当接部分にパッドが設けられる。該蓋は断熱性かつ緩衝性を有し、該開口を塞ぐもので、一端部が該背負い壁の上端に取付けられ、両側縁に沿って該チャック片と各別に協働するチャック片が設けられる。該ショルダーストラップは一対で、該背負い壁の上部外面の中央部に各一端が、また下部外面の各端部に各他端がそれぞれ連結され、内面にパッドが設けられる。該カマーベルトは一対で、該背負い壁の下部外面の各端部に各一端部が取付けられ、内面にパッドが設けられている。
【先行技術文献】
【特許文献】
【０００３】
【特許文献１】登録実用新案第３０４６１６４号公報
【発明の概要】
【発明が解決しようとする課題】
【０００４】
上記リュックサックに収納する上記酒樽には、１０〜２０Ｌ程度の酒類を入れるため、該酒樽を収納したリュックサックの総重量は、酒類の重さに加えて、酒樽、およびリュックサックなどの合計となり、１５〜２５ｋｇ程度になる。売り子が、こうした非常に重いリュックサックを背負うと、リュックサックには、該リュックサックの下方部分を支点として後方に引っ張られる力が作用する。そのため、リュックサックの荷重は売り子の肩にかかり、売り子の身体への負担が大きくなる。また、後方に引っ張られる力が作用すると、売り子は、背屈になるのを防ぐために、過度な前傾姿勢をとる必要がある。過度な前傾姿勢を保ったまま、顧客の間を歩いて移動すると、身体、特に、腰へ非常に大きな負担がかかる。特に、背の高い売り子は、肩から腰までの距離が長いため、リュックサックを背負うとリュックサックの下方部分は売り子の腰よりも上方に配置されるため、売り子はリュックサックの荷重を肩のみで受けることとなり、売り子の身体への負担が大きくなる。
本発明は上記の様な事情に着目してなされたものであって、その目的は、売り子の身体への負担を軽減できる酒樽用リュックサックを提供することにある。
【課題を解決するための手段】
【０００５】
上記課題を解決することのできた本発明に係る酒樽用リュックサックとは、胴部材と、前記胴部材に設けられた肩掛けベルトと、前記胴部材に設けられた腰ベルトと、を有し、前記胴部材内には、酒樽を収納する収納部と、該収納部よりも下側に非収納部とが形成されている点に要旨を有する。
【０００６】
前記非収納部には、スペーサ部材が配置されていてもよい。前記スペーサ部材は、複数のスペーサ部材が高さ方向に積層されていてもよい。前記スペーサ部材は、例えば、発泡プラスチックである。
【０００７】
上記酒樽用リュックサックは、更に、前記リュックサックの底面を形成する底部材と、前記リュックサックの背中面から前記底部材の面方向に沿って形成されるフレームと、前記フレームと前記肩掛けベルトとを固定する固定部材と、を有してもよい。
【０００８】
前記フレームのうち前記底部材の面方向に沿って伸びる部分は、前記底部材と前記スペーサ部材との間に配置されていることが好ましい。前記スペーサ部材は、前記フレームのうち前記底部材の面方向に沿って伸びる部分を介して、複数のスペーサ部材が高さ方向に積層されており、前記フレームより上側に配置されるスペーサ部材の合計厚みは、前記フレームより下側に配置されるスペーサ部材の合計厚みより小さいことが好ましい。
【０００９】
前記非収納部の高さは、前記収納部の高さに対して、例えば、１０分の１以上であることが好ましい。
【００１０】
前記リュックサックの背中面とは反対側の胴部材に、前記スペーサ部材を出し入れする開閉部が設けられていてもよい。
【発明の効果】
【００１１】
本発明の酒樽用リュックサックには、酒樽を収納する収納部よりも下側に、酒樽を収納しない非収納部を設けているため、リュックサックに酒樽を収納したときの酒樽の高さ位置を、リュックサック内に非収納部を設けない場合に比べて相対的に高くすることができる。その結果、酒樽の重心位置が上方向に移動するため、リュックサックの荷重は、売り子の肩と背中全体に分散して負荷され、売り子の身体への負荷を軽減できる。
【図面の簡単な説明】
【００１２】
【図１】図１は、酒樽を収納した従来のリュックサックを背負った様子を示す模式図を表す。
【図２】図２は、酒樽を収納した本発明に係る酒樽用リュックサックを背負った様子を示す模式図を表す。
【図３】図３は、本発明に係る酒樽用リュックサックにおける背負う側からの斜視図を表す。
【図４】図４は、本発明に係る酒樽用リュックサックにおける正面側からの斜視図を表す。
【図５】図５は、フレームを取り付けた本発明に係る酒樽用リュックサックの斜視図を表す。
【図６】図６は、フレームを用いて酒樽をリュックサックに収納したときの一構成例を説明するための斜視図を表す。
【図７】図７は、図６に示した酒樽と、スペーサ部材を省略して示した斜視図を表す。
【発明を実施するための形態】
【００１３】
本発明に係る酒樽用リュックサック（以下、単に、リュックサックということがある。）は、胴部材と、前記胴部材に設けられた肩掛けベルトと、前記胴部材に設けられた腰ベルトと、を有している。そして、前記胴部材内に、酒樽を収納する収納部と、該収納部よりも下側に非収納部が形成されているところに特徴がある。以下、本発明に係るリュックサックについて、図面を用いて説明するが、本発明は下記図面に限定されるものではなく、本発明の効果を損なわない範囲で適宜変更してもよい。
【００１４】
図１は、酒樽を収納した従来のリュックサックを背負った様子を示す模式図であり、便宜上、リュックサックは断面図、リュックサック以外は側面図で示している。図１において、１はリュックサック、２は胴部材、３は底部材、４は蓋、５は肩掛けベルト、６は腰ベルト、５０は酒樽、Ｇは酒樽の重心位置、Ｌは売り子の腰位置と酒樽の重心位置Ｇとを結ぶ線をそれぞれ示している。図１に示したリュックサックの内部は全て収納部であり、非収納部は形成されていない。
【００１５】
図１に示すように、酒樽５０を収納したリュックサックを背負うと、酒樽５０の重心位置Ｇは、売り子の腰位置に近くなる。そのため、鉛直方向に対して、売り子の腰位置と、酒樽の重心位置Ｇとを結ぶ線Ｌが形成する角度θは大きくなる。従って、リュックサックには、背面側に引っ張られる力が大きく作用するため、リュックサックの荷重は、その殆どが売り子の肩にかかる。また、背面側に引っ張られる力が大きく作用するため、売り子は過度な前傾姿勢をとる必要があり、腰への負担が増大する。
【００１６】
一方、図２は、酒樽を収納した本発明に係るリュックサックを背負った様子を示す模式図であり、上記図１と同じ箇所には同一の符号を付すことにより重複説明を避ける。図２においても、便宜上、リュックサックは断面図、リュックサック以外は側面図で示している。図２では、酒樽を収納する収納部よりも下側に非収納部が形成されており、該非収納部にスペーサ部材２０が配置されている。３０はフレームを示している。図２では、酒樽５０が収納されている収納部の下側に、非収納部が形成されている。なお、図２では、リュックサック１内にフレーム３０を配置した例を示したが、フレーム３０は配置しなくてもよい。
【００１７】
図２に示すように、本発明に係るリュックサックを用いると、酒樽５０の重心位置Ｇは、非収納部の高さ分だけ上方向に移動する。そのため、鉛直方向に対して、売り子の腰位置と、酒樽の重心位置Ｇとを結ぶ線Ｌが形成する角度θは小さくなる。従って、リュックサックにかかる背面側に引っ張られる力は小さくなり、売り子の肩への負担は軽減される。また、売り子は、リュックサックの重量を背中全体で支えることができるため、売り子は過度な前傾姿勢をとる必要はなくなり、腰への負担も軽減できる。
【００１８】
以下、本発明に係るリュックサックについて、より具体的に説明する。
【００１９】
図３は、本発明に係るリュックサックにおける背負う側からの斜視図である。以下、図１、図２と同じ箇所には、同一の符号を付す。５ａはショルダーストラップ、６ａは長さ調整ベルト、７は第一固定部材をそれぞれ示している。
【００２０】
図４は、本発明に係るリュックサックにおける正面側からの斜視図である。
図４は、図３に示した蓋４を開けた状態を示しており、図４に示した点線は、リュックサック１に酒樽５０を収納したときの酒樽５０の配置位置を示している。酒樽５０の上方には、図示しない酒類の排出口が設けられており、該排出口にホース等の部材を接続することによって、酒樽５０内の酒類を顧客に提供できる。従ってリュックサック内に酒樽５０を収納すると、図４に示すように、酒樽５０の上方にはホース等を接続する部材が収まる空間が存在し、この空間と酒樽５０が占める空間が収納部となる。
【００２１】
本発明に係るリュックサックには、上記収納部よりも下側に、上記図２に示したように、非収納部が形成されている。上述したように、非収納部を形成することによって、リュックサック１内における酒樽５０の高さ位置を高くすることができるため、酒樽５０の重心位置Ｇが高くなり、売り子の身体への負担を軽減できる。
【００２２】
上記非収納部には、例えば、スペーサ部材２０を配置することが好ましい。スペーサ部材２０を配置することによって、酒樽５０の重心位置Ｇを確実に高くすることができる。また、スペーサ部材２０の厚みを調整することによって、酒樽５０の重心位置Ｇの高さ位置を調整できる。従って、売り子の身長や体型に合わせて酒樽５０の重心位置Ｇを調整できる。
【００２３】
上記スペーサ部材２０は、一つの塊でもよいが、複数のスペーサ部材が高さ方向に積層されていてもよい。スペーサ部材２０を分割し、厚みが同一であるか、厚みが異なるスペーサ部材を非収納部に積層することによって、非収納部の高さを容易に自由に調整できる。その結果、売り子の身長や体型に応じて非収納部の高さを適切に調整できる。
【００２４】
上記スペーサ部材２０の素材は特に限定されないが、売り子の身体への負担を軽減するために、できるだけ軽量な素材で、且つ酒樽５０の重さに耐えられる耐久性を有することが好ましい。また、上記スペーサ部材２０の素材は、リュックサック１内で酒樽が振動するのを抑制するために、適度な弾性を有することが好ましい。こうした観点から、上記スペーサ部材２０としては、例えば、発泡プラスチック［主な原料合成樹脂は、例えば、ポリウレタン、ポリスチレン、ポリオレフィン（主に、ポリエチレンやポリプロピレンなど）など］、紙類（例えば、段ボールなど）、或いは綿、蕎麦殻、樹脂ビーズなどを入れた座蒲団などが挙げられ、特に、発泡プラスチックが好ましい。
【００２５】
上記非収納部の高さは、上記収納部の高さに対して、１０分の１以上であることが好ましく、より好ましくは５分の１以上である。しかし、上記非収納部の高さが高くなり過ぎると、重心位置Ｇが高くなり、バランスが悪くなるため危険である。従って、上記非収納部の高さは、上記収納部の高さに対して、２分の１以下であることが好ましく、より好ましくは３分の１以下である。
【００２６】
上記非収納部の高さは、具体的には、５０ｍｍ以上が好ましく、より好ましくは８０ｍｍ以上であり、２５０ｍｍ以下が好ましく、より好ましくは２００ｍｍ以下、更に好ましくは１５０ｍｍ以下である。
【００２７】
上記蓋４は、胴部材２に固定接続されていてもよいし、例えば、面ファスナー、スナップ（スナップボタン、ホックと呼ばれることもある。）、ファスナーなどで取り外し可能であってもよい。
【００２８】
上記肩掛けベルト５には、売り子へのフィット感を高めると共に、負担を軽減するために、左右の肩掛けベルトを接続するためのショルダーストラップ５ａを設けてもよい。なお、ショルダーストラップは、チェストストラップ、或いはホールドベルトと呼ばれることもある。
【００２９】
上記リュックサック１は、腰ベルト６を有している。上記腰ベルト６を締めることによって、リュックサック１の下方部分が売り子の腰部に固定されるため、売り子が動いてもリュックサック１の揺れが低減され、売り子の身体への負担を軽減できる。
【００３０】
上記腰ベルト６の端部には、売り子の体型に応じて長さを調整するために、長さ調整ベルト（アジャスターベルト）６ａを設けてもよい。
【００３１】
上記長さ調整ベルト６ａの形態は特に限定されないが、小さい力で長さを調整できるように、内引きにすることが好ましい。
【００３２】
また、上記腰ベルト６は、一方と他方の脱着を容易にするために、例えば、接続部に磁石を設けてもよい。
【００３３】
本発明に係るリュックサックは、更に、前記リュックサックの底面を形成する底部材と、前記リュックサックの背中面から前記底部材の面方向に沿って形成されるフレームと、前記フレームと前記肩掛けベルトとを固定する固定部材と、を有してもよい。上記フレームを取り付けた上記リュックサックの斜視図を図５に示す。図５において、８は胴部材２とフレーム３０とを固定する第二固定部材、９は緩衝材をそれぞれ示している。
【００３４】
上記図３に示したように、肩掛けベルト５に、フレーム３０と肩掛けベルト５とを固定する第一固定部材７を設け、図５に示すように第一固定部材７の一端をリュックサック１の背面側からリュックサック１の内側に延伸させる。延伸させた第一固定部材７の端部は、フレーム３０に巻き付けることにより、肩掛けベルト５とフレーム３０を接続してフレーム３０を固定してもよい。また、延伸させた第一固定部材７の端部に、例えば、面ファスナーやスナップなどを設けておき、フレーム３０を第一固定部材７により胴部材２に固定してもよい。フレーム３０と肩掛けベルト５とを固定することにより、リュックサック１を背負ったときに、第一固定部材７を介してフレーム３０が引き上げられるため、背負子のように酒樽５０の荷重を背中全体、特に、腰で支えることができる。従って、売り子の身体への負担が軽減される。
【００３５】
上記図５に示すように、胴部材２とフレーム３０とを固定する第二固定部材８を設けてもよい。第二固定部材８を設けることにより、フレーム３０の揺れを抑えることができるため、売り子の身体への負担が軽減される。
【００３６】
上記第二固定部材８の形態は特に限定されないが、例えば、一端は胴部材２に縫い付けて固定し、他端に、例えば、面ファスナーやスナップなどを設けて胴部材２と接続可能に構成すればよい。
【００３７】
上記緩衝材９を設けることによって、リュックサック１に取り付けたフレーム３０と、図示しない酒樽５０が接触するのを防止できる。上記図５では、フレーム３０と図示しない酒樽５０の間に緩衝材９が介在するように、緩衝材９を左右に分割し、それぞれの一端を胴部材２に固定し、他端を図５の中央部で互いに合わせて固定できるように構成している。なお、本発明のリュックサック１は、この構成に限定されるものではなく、例えば、フレーム３０や図示しない酒樽５０の周囲に緩衝材を巻き付けてフレーム３０と図示しない酒樽５０が接触しないように構成してもよい。また、図５に示したように、緩衝材９を胴部材２に固定せずに、フレーム３０と図示しない酒樽５０の間に、別の緩衝材（例えば、板状の緩衝材など）を挟み込んで介在させてもよい。
【００３８】
上記フレームの素材は特に限定されないが、軽量で、耐久性を有するものが好ましく、例えば、樹脂や金属が挙げられる。樹脂としては、例えば、繊維強化プラスチック、金属としては、例えば、アルミニウムや鋼が挙げられる。
【００３９】
上記フレーム３０は、高さ位置を調整できるようにリュックサック１に取り付けてもよいし、リュックサック１から取り外し可能であってもよい。
【００４０】
次に、図６および図７を用いて、本発明に係るリュックサックに酒樽を収納したときの一構成例について説明する。
【００４１】
図６は、フレーム３０を用いて酒樽５０をリュックサックに収納したときの一構成例を説明するための斜視図であり、図６では、リュックサックは図示していない。図６において、３０ａは、フレーム３０のうち、底部材の面方向に沿っている部分（以下、座面構成部３０ａと呼ぶことがある。）を示している。また、２０ａ１〜２０ａ３、および２０ｂは、スペーサ部材２０を構成している。
【００４２】
図６では、上記スペーサ部材２０は、上記フレーム３０の座面構成部３０ａを介して、複数のスペーサ部材を高さ方向に積層して構成している。図６において、スペーサ部材２０ｂは、上記フレーム３０の座面構成部３０ａより上側に配置しており、スペーサ部材２０ａ１〜２０ａ３は、上記フレーム３０の座面構成部３０ａより下側に配置している。
【００４３】
上記スペーサ部材２０ｂは、酒樽５０の重心位置Ｇを高めるためのスペーサ部材として作用するほか、酒樽５０と座面構成部３０ａが直に接触するのを防止する緩衝材としても作用する。
【００４４】
上記図６では、上記フレーム３０の座面構成部３０ａより上側に、一つのスペーサ部材２０ｂを配置した構成例を示したが、本発明に係るリュックサックは、この構成例に限定されるものではなく、上記フレーム３０の座面構成部３０ａより上側に、複数のスペーサ部材２０を積層してもよい。スペーサ部材２０を分割することにより、売り子の身長や体型に応じて非収納部の高さを適切に調整できる。
【００４５】
また、上記図６では、上記フレーム３０の座面構成部３０ａより下側に、三つのスペーサ部材２０ａ１〜２０ａ３を配置した構成例を示したが、本発明に係るリュックサックは、この構成例に限定されるものではなく、上記フレーム３０の座面構成部３０ａより下側に配置するスペーサ部材は一つ以上、または二つ以上でもよいし、四つ以上であってもよい。スペーサ部材２０を分割することにより、売り子の身長や体型に応じて非収納部の高さを適切に調整できる。
【００４６】
分割したスペーサ部材の個々の厚みは、特に限定されないが、例えば、１０〜３０ｍｍ程度とすることが好ましい。また、厚みの異なるスペーサ部材を準備し、売り子の身長や体型に応じて合計厚みを適宜調整してもよい。
【００４７】
上記フレーム３０の座面構成部３０ａより上側に配置されるスペーサ部材の合計厚みは、上記フレーム３０の座面構成部３０ａより下側に配置されるスペーサ部材の合計厚みより小さい方が好ましい。上記フレーム３０の座面構成部３０ａより下側に配置されるスペーサ部材の合計厚みを大きくすることにより、安定性が向上する。
【００４８】
図７は、説明の便宜上、図６に示した酒樽５０と、スペーサ部材２０ｂを省略して示した斜視図である。図７において、２０ｃはスペーサ部材２０を構成している。
【００４９】
図７に示すように、座面構成部３０ａの内側に、スペーサ部材２０ｃを配置することが好ましい。
【００５０】
上記スペーサ部材２０ｃの厚みは特に限定されないが、座面構成部３０ａの厚みと等しくするか、座面構成部３０ａの厚みよりも厚くすることが好ましく、このような厚みにすることによって、酒樽５０の荷重を上記フレーム３０の座面構成部３０ａとスペーサ部材２０ｃに分散させることができる。
【００５１】
上記スペーサ部材２０の形状は特に限定されず、例えば、図６および図７に、スペーサ部材２０ａ１〜２０ａ３として示したように、略楕円形状の一端を切断した形状であってもよいし、スペーサ部材２０ｂとして示したように、円形であってもよい。
【００５２】
また、図６および図７にスペーサ部材２０ａ１〜２０ａ３として示したように、切り欠き部を設けてもよい。切り欠き部を設けることによって、リュックサックへの出し入れが容易になる。切り欠き部を設ける位置は、図６および図７にスペーサ部材２０ａ１〜２０ａ３として示したように、切断側であってもよいし、或いは、曲線側または側面であってもよい。また、スペーサ部材の中央部を中抜きし、ドーナツ状としてもよい（図示せず）。ドーナツ状に中抜きすることによって、軽量化できる。
【００５３】
上記図６および図７では、上記フレーム３０のうち、上記底部材３の面方向に沿って伸びる部分３０ａ（座面構成部３０ａ）の下側に、スペーサ部材２０ａ１〜２０ａ３を設けた構成例を示したが、本発明に係るリュックサックはこの構成例に限定されるものではなく、スペーサ部材２０ａ１〜２０ａ３を省略してもよい。即ち、上記フレーム３０をリュックサックに直に収納し、上記座面構成部３０ａは、図示しない底部材３と上記スペーサ部材２０ｂとの間に配置してもよい。このようにフレーム３０をリュックサックに直に収納しても、酒樽５０の下側には、スペーサ部材２０ｂと座面構成部３０ａの厚み分だけ嵩上げされるため、酒樽５０の重心位置Ｇを高くすることができる。その結果、売り子の身体への負担を軽減できる。
【００５４】
上記リュックサック１の背中面とは反対側の胴部材２には、上記スペーサ部材２０を出し入れする開閉部を設けてもよい。上記スペーサ部材２０を出し入れする開閉部を設けることによって、上記非収納部の高さを容易に調整できる。そのため、売り子の身長や体型に応じて非収納部の高さを容易に調整できる。
【００５５】
上記開閉部の形態は、上記スペーサ部材を出し入れできれば特に限定されず、例えば、胴部材２の周方向（即ち、横方向）に沿ってファスナーを設ければ良い。
【００５６】
本発明に係るリュックサックの素材は特に限定されず、胴部材、底部材、蓋などには、酒樽の温度上昇を抑制すると共に、売り子の身体を冷やさないために、断熱性を有する素材を用いることが好ましい。
【００５７】
また、リュックサックのうち、売り子の身体と接する面には、温度調節できる素材を用いることが好ましい。即ち、リュックサックの背中面、肩掛けベルトの内側、腰ベルトの内側などは、売り子の身体と直接接するため、温度が高くなり、蒸れやすい。そこで、売り子の身体と接する面に、温度調節できる素材を用いることによって、快適に長時間背負うことができる。
【００５８】
また、リュックサックのうち、売り子の身体と接する面（特に、リュックサックの背中面）には、弾性部材を貼付し、表面に凹凸を形成することが好ましい。凹凸を形成することによって、リュックサックと売り子の接触面積を小さくできるため、接触面の蒸れを低減できる。
【００５９】
上記リュックサックには、酒類のメーカーや酒類の商品名を印刷してもよい。
【符号の説明】
【００６０】
１  酒樽用リュックサック
２  胴部材
３  底部材
４  蓋
５  肩掛けベルト
５ａ  ショルダーストラップ
６  腰ベルト
６ａ  長さ調整ベルト
７  第一固定部材
８  第二固定部材
９  緩衝材
２０、２０ａ１〜２０ａ３、２０ｂ、２０ｃ  スペーサ部材
３０  フレーム
５０  酒樽
Ｇ  酒樽の重心位置
Ｌ  売り子の腰位置と酒樽の重心位置Ｇとを結ぶ線
【図１】
0006325012.tif 000002
【図２】
0006325012.tif 000003
【図３】
0006325012.tif 000004
【図４】
0006325012.tif 000005
【図５】
0006325012.tif 000006
【図６】
0006325012.tif 000007
【図７】
0006325012.tif 000008